(57)【要約】【課題】健康器具として使用するほか、吹出空気を他の用途に利用することで、多目的な使用が可能な多目的健康器具を提供する。【解決手段】手のひらで握る袋体１と、袋体１の一端部に設けられた吸排気孔２とを形成する。袋体１の他端部に設けられた押圧体３と、袋体１の表面に設けたられた複数の突起４とを形成する。袋体１は、手のひらで握る際の弾性力と手のひらを広げた際の復元力とを有する弾性材にて形成し、袋体１の弾性力に抗して繰り返し握る握力増強用具として設けられる。押圧体３は指圧用の強度を有し、且つ突起４はマッサージ用の弾性を有する。【選択図】図１
0003150267.tif 000002
【実用新案登録請求の範囲】
【請求項１】
手のひらで握る袋体と、袋体の一端部に設けられた吸排気孔と、袋体の他端部に設けられた押圧体と、袋体の表面に設けたられた複数の突起とからなり、袋体は、手のひらで握る際の弾性力と手のひらを広げた際の復元力とを有する弾性材にて形成され、袋体の弾性力に抗して繰り返し握る握力増強用具として設けられると共に、押圧体は指圧用の強度を有し、且つ突起はマッサージ用の弾性を有することを特徴とする多目的健康器具。
【請求項２】
前記突起は、不規則な高さで前記袋体の側面周囲に多数配された請求項１記載の多目的健康器具。
【請求項３】
前記吸排気孔は、袋体の復元力にて吸引された空気又は液体をエアー洗浄用又は液体洗浄用として排出するように形成された請求項１又は２記載の多目的健康器具。
【請求項４】
前記吸排気孔は、袋体の復元力にて吸引された液体を排出する玩具として形成された請求項１又は２記載の多目的健康器具。
【請求項５】
前記吸排気孔は、袋体の復元力にて吸引された空気を排出する発音玩具として形成された請求項１又は２記載の多目的健康器具。
【請求項６】
前記吸排気孔は、前記エアー洗浄用、前記液体洗浄用、前記液体排出玩具用、前記発音玩具用として併用するように形成されると共に、前記押圧体に携帯ストラップを連結する連結環を設けた請求項１乃至５いずれか記載の多目的健康器具。
【考案の詳細な説明】
【技術分野】
【０００１】
本考案は、主に握力増強用具やマッサージ器として使用する健康器具に係り、健康器具として使用するほか、使用時に器具から吹き出す空気を利用することで、例えば清掃器具や水鉄砲・笛などの玩具など、多目的に使用することができる多目的健康器具に関する。
【背景技術】
【０００２】
握力を強化する訓練用としての医療具が、特許文献１に記載されている。この医療具では、弾力を有する中空楕円体の一端部に吸気弁を設け、他端部に排気調節弁を設けたもので、更に、指を環止めする指止めゴムバンドを中空楕円体に付設している。
【０００３】
また特許文献２に記載の健康用具には、手のひらで握る空気袋の吸排気孔にバルブ機構を設けると共に、五指が自由に動かせる保持具を空気袋に設けた構造が記載されている。
【先行技術文献】
【特許文献】
【０００４】
【特許文献１】実開昭５５‐１２５３２４号公報
【特許文献２】特許第３９９８０６３号公報
【考案の概要】
【考案が解決しようとする課題】
【０００５】
特許文献１に記載された医療具は、握力増強のための訓練に使用するものであり、他の用途への利用はできない。一方、特許文献２に記載された健康用具は、この健康器具の使用状態を変えることは可能でも、器具自体を別の用途に使用することはできないものである。
【０００６】
手のひらで扱うこの種の健康器具は、握力増強用具やマッサージ器として使用するのに好適であるが、考案者は、更に、健康器具を握ったときに器具から吹き出す空気に着目しこの吹出空気を他の用途に利用することを鋭意研究した。
【０００７】
そこで本考案は、健康器具として使用するほか、健康器具からの吹出空気を他の用途に利用することで、多目的に使用することができる多目的健康器具の提供を目的とするものである。
【課題を解決するための手段】
【０００８】
上述の目的を達成すべく本考案における第１の手段は、手のひらで握る袋体１と、袋体１の一端部に設けられた吸排気孔２と、袋体１の他端部に設けられた押圧体３と、袋体１の表面に設けたられた複数の突起４とからなり、袋体１は、手のひらで握る際の弾性力と手のひらを広げた際の復元力とを有する弾性材にて形成され、袋体１の弾性力に抗して繰り返し握る握力増強用具として設けられると共に、押圧体３は指圧用の強度を有し、且つ突起４はマッサージ用の弾性を有することにある。
【０００９】
第２の手段において、前記突起４は、不規則な高さで前記袋体１の側面周囲に多数配されたことにある。
【００１０】
第３の手段において、前記吸排気孔２は、袋体１の復元力にて吸引された空気又は液体をエアー洗浄用又は液体洗浄用として排出するように形成されている。
【００１１】
第４の手段において、前記吸排気孔２は、袋体１の復元力にて吸引された液体を排出する玩具として形成されている。
【００１２】
第５の手段において、前記吸排気孔２は、袋体１の復元力にて吸引された空気を排出する発音玩具として形成されている。
【００１３】
第６の手段において、前記吸排気孔２は、前記エアー洗浄用、前記液体洗浄用、前記液体排出玩具用、前記発音玩具用として併用するように形成されると共に、前記押圧体３に携帯ストラップを連結する連結環５を設けたことを課題解消のための手段とする。
【考案の効果】
【００１４】
本考案の請求項１の如く、袋体１は、手のひらで握る際の弾性力と手のひらを広げた際の復元力とを有し、袋体１の弾性力に抗して繰り返し握ると握力増強運動になる。また袋体１の押圧体３は指圧用具として形成され、袋体１の突起４はマッサージ用具として形成されたことにより、握力増強用、指圧用、マッサージ用など、多目的の健康器具として使用することができる。
【００１５】
請求項２の如く、前記突起４が不規則な高さで前記袋体１の側面周囲に多数配されたことにより、袋体１を手のひらで握る際に、個人の手のひらに適した位置を選択することが可能になる。例えば、子供と大人、あるいは、女性と男性など、老若男女の手のひらにはそれぞれ個性がある。そこで、この突起４の高さを不規則にすると、各人が自分に最も持ち易いポジションを選択することが可能になり、本考案健康器具を多目的に使用する場合でも、使用者に適した扱いが可能になる。
【００１６】
請求項３によると、本考案健康器具を、エアー洗浄用又は液体洗浄用として使用することができる。
【００１７】
請求項４によると、本考案健康器具を更に液体排出玩具として使用することができる。
【００１８】
請求項５によると、本考案健康器具を更に発音玩具としても使用することができる。
【００１９】
請求項６によると、本考案健康器具を、エアー洗浄用、液体洗浄用、液体排出玩具用、発音玩具用として併用するように形成されているので、本考案健康器具を多目的に使用することができる。しかも、携帯ストラップを連結する連結環５を備えているので、常に携帯することが可能になり、どのような目的に使用する場合でも手軽に利用することができる。
【図面の簡単な説明】
【００２０】
【図１】本考案の一実施例を示す正面図である。
【図２】本考案の一実施例を示す平断面図である。
【図３】本考案の一実施例を示す縦断面図で、（イ）、（ロ）は突起の高さが不規則であることを示している。
【図４】本考案を握力増強用とする使用例を示した図である。
【図５】本考案を指圧用とする使用例を示した図である。
【図６】本考案をマッサージ用とする使用例を示した図である。
【図７】本考案をエアー洗浄用又は発音玩具用とする使用例を示した図である。
【図８】本考案を液体洗浄用又は液体排出玩具用とする使用例を示した図である。
【考案を実施するための形態】
【００２１】
このように本考案によると、健康器具として使用するほか袋体の吸排気孔から排出される力を他の用途に利用することで、多目的な使用が可能になるといった目的を実現した。
【実施例１】
【００２２】
以下、本考案の一実施例を説明する。本考案仮止め具の基本構成は、袋体１、吸排気孔２、押圧体３、突起４からなる（図１参照）。
【００２３】
袋体１は、手のひらで握る部材であり、一端部に吸排気孔２を有し、手のひらで握る際の弾性力と手のひらを広げた際の復元力とを有する弾性材にて形成される。この袋体１は基本的には、袋体１の弾性力に抗して繰り返し握る握力増強用具として設けられるものである（図４参照）。図示例では、手のひらで握りやすい楕円形状を成しているが、袋体１の形状は任意に変更することができる。
【００２４】
吸排気孔２は、袋体１の一端部に設けられた吸排気孔２である。この吸排気孔２は、袋体１の復元力にて袋体１内に吸引された空気又は液体を、再び袋体１を握ることで吸排気孔２から排出する構造になっている（図７、図８参照）。そのため、この作用を利用することで、後述するように多目的使用ができるように設けている。
【００２５】
押圧体３は、袋体１の他端部、すなわち、前記吸排気孔２の反対側端部に設けられた部材である。この押圧体３は、指圧用の強度を有しており、人体のツボや肩こり部分等に強く押し付けることで、指圧用の道具として使用することができる（図５参照）。図示例の押圧体３は、袋体１の他端部に設けた嵌合孔１Ａに、押圧体３の連結杆３Ａを嵌合して連結することで、押圧体３を着脱自在に設けている（図２参照）。また、この押圧体３を袋体１と一体に形成することも可能である。
【００２６】
突起４は、袋体１の表面に設けられており、マッサージ用の弾性を有するものである。マッサージ用の弾性とは、例えば、この突起４を患部に押し当てて袋体１を転がした場合突起４が接触した部分の血行などを良好にする作用を言う（図６参照）。この突起４は、弾性復元力を有する袋体１の表面に設けられるものであるから、仮に金属製の突起４のように極めて硬いものであっても、袋体１の弾性変形の作用を受けるので、マッサージ用の弾性を得ることができる。図示例では、袋体１の材質と同じ弾性材質で、袋体１と突起４とを一体成形したものである（図３参照）。
【００２７】
また、この突起４は、不規則な高さで前記袋体１の側面周囲に多数配されている（図３（イ）、（ロ）参照）。この不規則性のため、突起４と患部との接触圧力が常に変化するのでマッサージに好適である。更に、この不規則性を利用して、使用者個人の手のひらのサイズや弾力などに適応させることが可能である。すなわち、使用者は、不規則な突起４のあたり具合を試しながら、自分で最も持ち易いポジションを選択することができるものである。
【００２８】
前述の如く、本考案の前記吸排気孔２は、袋体１の復元力にて袋体１内に吸引された空気又は液体を、再び袋体１を握ることで吸排気孔２から排出する構造になっている。そのため、この作用を利用することで、次のように多目的な使用ができるように設けている。
【００２９】
第１に、袋体１の復元力にて吸引された空気Ｐを、吸排気孔２からエアー洗浄用として排出することで、例えばキーボード等に吹き付けて埃等を除去するエアー洗浄具として使用可能になる（図７参照）。
【００３０】
第２に、袋体１の復元力にて吸引された液体Ｑを、吸排気孔２から液体洗浄用として排出することで、例えば洗剤を吹き付ける液体洗浄具としての使用ができる（図８参照）。
【００３１】
第３に、袋体１の復元力にて吸引された液体を、吸排気孔２から排出する水鉄砲などの玩具として使用が可能である（図示せず）。
【００３２】
第４に、袋体１の復元力にて吸引された空気を、吸排気孔２から排出する際に音がなるように形成することで、発音玩具として使用できる。この場合、吸排気孔２に発音を促すリード（図示せず）等を設けることも可能であるが、図示例の如く、単にすぼんだ形状の吸排気孔２でも玩具としての発音が可能である（図３参照）。
【００３３】
第５に、本考案吸排気孔２を、前記エアー洗浄用、前記液体洗浄用、前記液体排出玩具用、前記発音玩具用として併用するように形成することで、使用環境によって、使用目的を自由に変更することが可能になる（図１参照）。また、この場合、押圧体３に携帯ストラップを連結する連結環５を設けることで、本考案の携帯が便利になり、より多くの場面で活用することが可能になる（図２参照）。
【００３４】
尚、本考案は、図示例に限定されるものではなく、本考案の各構成は本考案の要旨を変更しない範囲において自由に変更できるものである。
【産業上の利用可能性】
【００３５】
本考案によると、握力増強用や指圧用、マッサージ用等の健康器具のみならず、洗浄器具、玩具などにも使用できるものである。
【符号の説明】
【００３６】
Ｐ  空気
Ｑ  液体
１  袋体
１Ａ  嵌合孔
２  吸排気孔
３  押圧体
３Ａ  連結杆
４  突起
５  連結環
【図１】
0003150267.tif 000003
【図２】
0003150267.tif 000004
【図３】
0003150267.tif 000005
【図４】
0003150267.tif 000006
【図５】
0003150267.tif 000007
【図６】
0003150267.tif 000008
【図７】
0003150267.tif 000009
【図８】
0003150267.tif 000010